(57)【要約】ロック用のケーシング側壁に細長いスロットを有する開き窓用薄型作動窓ロックであって、フォーク状部品に対して垂直な面に沿って回転するハンドルの回転軸に対してフォーク状部品が垂直方向にスロット内で移動し、窓枠から少ないクリアランスで完全に施錠位置から解錠位置にハンドルを回転させることができる。ハンドルおよび制限アームの枢動点の構成は、開き窓ロックを逆駆動させることを防止するオーバーセンターリンケージを可能とする。
2020523506.tif 000002
【特許請求の範囲】
【請求項１】
フォーク状部品を受容するための長手方向のスロットを含む実質的に水平な側壁部を有する細長いケーシングと、
その一端が前記ケーシングに枢動自在に取り付けられ、他端が第一の枢動点でハンドルに枢動自在に取り付けられる制限アームと、
前記長手方向のスロット内に前記ケーシングと摺動自在に連通し、ロックバーとロックの外で係合するように適合されるフォーク状部品と、
第二の枢動点でその一端が前記フォーク状部品と枢動自在に取り付けられ、その中間点で前記制限アームに枢動自在に取り付けられる、前記フォーク状部品に対して垂直な平面に沿って回転自在なハンドルとを有する開き窓の解錠方法であって、
前記ハンドルを初動位置から回転させるために前記第二の枢動点に対して前記第一の枢動点をシフトすると同時に、ハンドルの回転軸に対して垂直な方向に長手方向のスロット内で、前記ケーシングの水平側壁部に沿ってフォーク状部品と前記枢動点を水平移動させるために、前記ハンドルを第一の枢動点周りに回転させること
を含む、開き窓の解錠方法。
【請求項２】
前記細長いケーシングがハンドルの第二の枢動点の反対側の端部に埋め込まれた永久磁石を含むバネ作用プッシュ機構を備え、前記ハンドルがその内部に埋め込まれた前記第一の永久磁石とは反対の極性の永久磁石を有する第二の端部を含み、永久磁石間の磁力が、ハンドルが施錠位置にあるとき、ハンドルをケーシング内の平面位置に保持する方法であって、
バネを開放したとき、圧縮されたバネに蓄積されたエネルギーが第一の永久磁石と第二の永久磁石間の磁力を打ち勝ち、前記ハンドルを開放し回転させるようにケーシングの方向に前記ハンドルの第二の端部を振動させ、プッシュ機構内のバネを圧縮する
工程を更に含む、請求項１に記載の方法。
【請求項３】
前記ハンドルを前記フォーク状部品に回転自在に接合する第一のヒンジ点が前記ハンドルを制限アームに接合する第二のヒンジ点と前記制限アームを前記ケーシングに接合する第三のヒンジ点との間に配置され、前記第二のヒンジ点が第一のヒンジ点と第三のヒンジ点を接続する作用線よりも上にあり、
前記第二のヒンジ点が前記第一のヒンジ点と前記第三のヒンジ点の間に配置され、前記第二のヒンジ点が前記第一のヒンジ点と前記第三のヒンジ点を接続する作用線よりも下になるように、前記ハンドルを完全に施錠された位置にまで回転することでオーバーセンター状態にするように
前記ハンドルを完全に施錠されていない状態から回転させることでオーバーセンター状態にすること
を含む、請求項１に記載の方法。
【請求項４】
ロックバーとロックの外で係合するように適合され、前記長手方向のスロット内にケーシングと摺動自在に連通するフォーク状部品と、
前記ケーシングに取り付けられた制限アームと、
前記ハンドルと前記フォーク状部品を回転自在に接合する第一ヒンジ点と、前記ハンドルと前記制限アームを回転自在に接合する第二ヒンジ点と、前記制限アームを前記ケーシングに回転自在に接合する第三ヒンジ点と、その一端が第二の枢動点で前記フォーク状部品と枢動自在に取り付けられ、その中間点で前記制限アームに枢動自在に取り付けられる、前記フォーク状部品に対して垂直な平面に沿って回転自在なハンドルとを含む前記ロックバーをバックドライブすることを防止するオーバーセンターリンケージを形成する複数のヒンジまたは枢動点と
を含む、フォーク状部品を受容するための長手方向のスロットを含む実質的に水平な側壁部を有する細長いケーシングを含む前記開き窓の用のフラッシュロックを作動させること、
前記第一のヒンジ点が前記第二および第三のヒンジ点の間にあり、前記第二のヒンジ点が前記第一および第三のヒンジ点を接続する作用線より上になるように、前記ハンドルを解錠位置まで回転させこと、または
前記第二のヒンジ点が前記第一および第三のヒンジ点の間にあり、前記第二のヒンジ点が前記第一および第三のヒンジ点を結ぶ作用線より下になるように、前記ハンドルを施錠位置まで回転させこと、および
前記ハンドルの回転軸に対して垂直方向に長手方向のスロット内で前記ケーシングの水平側壁部に沿って前記フォーク状部品を水平に移動すること
を含む、窓のサッシを開き窓の枠に固定する方法。
【請求項５】
長手方向にスロットを含む実質的水平側壁部を有するケーシングと、
その端部に前記ケーシングが枢動自在に取り付けられ、他端に第一の枢動点でハンドルが枢動的に取り付けられた制限アームと、
ロックバーを係合するための接続部と前記長手方向のスロットを摺動自在に係合するための突起とを含むフォーク状部品と、
その端部に第二の枢動点で前記フォーク状部品に枢動的に連通し、前記ハンドルの中間点で前記制限アームと枢動的連通し、前記フォーク状部品に対する垂直な平面に沿って回転自在なハンドルとを含み、
前記ハンドルが解錠位置にまで回されると、前記第一の枢動点周りの前記ハンドルの枢動が前記フォーク状部品および前記第二の枢動点をハンドルの回転軸に対して垂直な第一の方向に前記長手方向のスロット内で水平に横断させ、前記ハンドルが施錠位置に回されると、前記第一の枢動点周りの前記ハンドルの反対方向への枢動が、前記フォーク状部品および前記第二の枢動点を第一の方向とは反対である第二の方向である前記長手方向のスロット内で水平に横断させる、窓のサッシを開き窓枠に固定するための開き窓ロック。
【請求項６】
前記ロックバーをバックドライブすることを防ぐオーバーセンターリンケージを形成する複数のヒンジまたは枢動点を含む請求項５に記載の開き窓ロック。
【請求項７】
前記ハンドルが解錠位置にまで回されると、第一のヒンジ点が第二のヒンジ点および第三のヒンジ点との間にあり、前記第二のヒンジ点が前記第一のヒンジ点と前記第三のヒンジ点を接続する作用線よりも上になり、前記ハンドルが施錠位置に回されると、前記第二のヒンジ点が前記第一のヒンジ点と前記第三のヒンジ点を接続する作用線よりも下になるように、
前記ハンドルとリフターを回転自在に接合する前記第一のヒンジ点と、
前記ハンドルと前記制限アームを回転自在に接合する第二のヒンジ点と、
前記制限アームを前記ケーシングに接合する第三のヒンジ点と
を前記オーバーセンターリンケージが含む、請求項６に記載の開き窓ロック。
【請求項８】
開き窓ロックとは反対側窓枠に配置され、前記窓枠を通してネジを前記ロックに取り付けるための表面を提供する、前記開き窓ロックを前記窓枠に固定するためのリテーナーを更に含む、請求項５に記載の開き窓ロック。
【請求項９】
前記リテーナーは、前記フォーク状部品が前記第一の方向および前記第二の方向に横断すると、それを通じて延びる前記フォーク状部品の少なくとも一部を受容するため、その長さに沿って伸びるスロットを含む、請求項８に記載の開き窓ロック。
【請求項１０】
前記リテーナーは、前記フォーク状部品に結合される前記フォーク状部品が移動の終点に到達したという触覚的および聴覚的表示を提供する戻り止めバネと係合するように前記リテーナー内に形成され、前記フォーク状部品と前記リテーナーとの間に配置される少なくとも一つの戻り止めを含む、請求項８に記載の開き窓ロック。
【請求項１１】
前記制限アームと前記ケーシングの間に取り付けられ、最小限のたわみで力を提供できるスプリングワッシャーを更に含む、請求項５に記載の開き窓ロック。
【請求項１２】
その内部に埋め込まれた前記第一の永久磁石と反対の極性の永久磁石を有する第二の端部を含み、その永久磁石間の磁力が、前記ハンドルが施錠位置にあるとき、ケーシング内でハンドルをフラッシュ位置に保持するハンドルの第二の枢動点の端部で前記ケーシング内に埋め込まれた永久磁石を含むバネ作用プッシュ機構を更に含む、請求項５に記載の開き窓ロック。
【請求項１３】
バネを開放したとき、圧縮されたバネに蓄積されたエネルギーが前記第一の永久磁石と前記第二の永久磁石間の磁力に打ち勝つように、ケーシングの方向に前記ハンドルの端部を振動させ、前記プッシュ機構内でバネを圧縮することで、回転のために前記ハンドルが開放自在となる、請求項１２に記載の開き窓ロック。
【請求項１４】
前記ケーシングおよび前記ハンドルに取り付けられたスナップオンエスカッションを含む、請求項５に記載の開き窓ロック。
【請求項１５】
前記ハンドルが解錠位置まで回転する際に、前記ハンドルが前記ケーシングを過度に回転して前記ケーシングに接触するのを防ぎ、それらの間の隙間を確保する回転可能なコネクタを更に含む、請求項５に記載の開き窓ロック。
【発明の詳細な説明】
【技術分野】
【０００１】
本発明は窓ロック、特に窓ロックを作動させるための手動ハンドルに関する。具体的には、本発明は開き窓ロックを作動させるフラッシュマウント式または薄型作動窓ロックに関する。より具体的には、本発明は開き窓を施錠し解錠するロックバーを駆動するように設計され、旋回ハンドルを９０度に操作する動作をしている間に、従来技術の設計よりも大きく窓枠から突出しないフラッシュマウント式ロックアクチュエータに関する。
【背景技術】
【０００２】
一般に、開き窓は、単一の通気口が外側または右または左に曲がる窓ユニットである。開き窓は側面にヒンジで固定されている。（頂部にヒンジ固定された窓は突き出し窓として参照される。）それらは共通の枠内で単一のまたはペアとして用いられる。開き窓はしばしばケースメントステイを用いて開いたままの状態に保持される。
【０００３】
開き窓はドアのように開けられる。ドアと同じで、左側面または右側面が（より正確には、枢動自在に）ヒンジで固定され、ヒンジで固定されていない面はロックハンドルによって動かされるロックバーにより所定の位置にしっかりと固定される。ドアとは異なり、開き窓はノブやハンドルではなく、手の高さ周辺または底部に配置されたオペレーターまたはレバー駆動のギアといった数種類の手段により開かれる。サッシの位置を制御する駆動オペレーター、ステイ、または摩擦ヒンジは窓を外側に開く際、強風といった悪天候で窓の位置を保持するために必要である。
【０００４】
開き窓用の施錠システムは、通常、窓の側面にある。開き窓用ロックハンドルは当技術分野で広く知られている。一般的に、ロックハンドルは開き窓の枠に取り付けられ、内部に取り付けられるフォーク状部品を左右に動かす。フォーク状部品はフレームに同じように取り付けられたロックバーまたはタイバーを動かす。開き窓のためのロック機構の一つは窓の開いた側に沿った窓枠に摺動自在に取り付けられるフラットタイバーを用いる。ロックハンドルは施錠用および駆動用の複数のピンがタイバーから外側に垂直に延伸する。施錠位置と解錠位置の間で使用者により挿入されるロックハンドルは窓枠内部にある。ロックハンドルはタイバーをスライドし、対応する施錠位置および解錠位置の間で施錠ピン各々を動かす。典型的なロックバーおよびロックバーを動かすロックハンドルは、２０１１年５月２４日にミンターに付与された「低摩擦調整可能ローラーピン」という名称の米国特許第７，９４６，６３３号に示されている。
【０００５】
従来技術のロックハンドルは窓枠から約２０−２５ｍｍの距離で開き窓枠から突き出ることが知られている。この突起はハンドル内の内部駆動機構による。従来技術の開き窓ロックハンドルはロックバーを係合し、スライドするフォーク状部品を駆動する。一方から他方にフォーク状部品を駆動するために、ハンドルのケーシングは、ハンドルをケーシング周りに枢動させ、フォーク状部品を内部で左右に移動できるように十分な深さを有さなければならない。
【０００６】
最も関連する先行技術は、既存のタイバーロック設計で動作するように適合される薄型（８ｍｍ程度）のフラッシュマウントが可能なロック機構を教示または開示していない。例えば、１９９２年２月１１日にベターらに付与された「サッシロック」という名称の米国特許第５，０８７，０８７号には、スライドロックバーを駆動する作動レバー／ハンドルを用いる基本的なマルチポイント窓ロックが教示されている。作動レバーハンドルはハンドルの端部の反対の端部に配置されるピンを有する。ピンはロックバー上のフォーク状部品を係合し、駆動する。この従来技術は、大幅に低減された外形を有するロックの作動を実現するために、フォーク状部品と組み合わせる如何なる種類のリフター機構も開示、説明または示唆もしていない。この従来技術の設計では、ロックの逆駆動を防ぐための追加のリンケージも導入されていない。
【０００７】
１９９８年９月２９日にアンダーソンに付与された「フラッシュロックアクチュエータ」という名称の米国特許第５，８１３，７１０号では、「フラッシュ」ロック外観を提供するロックアクチュエータが開示されている。しかし、本明細書でさらに説明する理由により、本発明の薄型の特徴には、現在の設計とは明らかに異なる設計が提供される。アンダーソンの設計は、左右対称であり、アクチュエータの本体と同一平面にあるハンドルを教示する。ハンドルはケーシングの中心にあるピン周りに回転する。ハンドルの一端は窓枠に向かって（および窓枠内に）回転し、もう一方の端は本体から出て枠から離れるように回転する。窓に向かって旋回軸上で回転する前記一端は、ロックバーを動かす作動リンクが取り付けられている。本発明により教示されるように、ケーシング外形を縮小するようにフォーク状部品と組み合わせてハンドルの枢動点を変更する制限アームがなく、また錠の「開き過ぎ」を防止するための回転自在なコネクタもない。
【０００８】
１９９８年１１月３日にアンダーソン等に付与された「開き窓用のマルチポイントロックオペレータ」という名称の米国特許第５，８２９，８０２号では、マルチポイントロックバーを駆動するロックアクチュエータが開示されている。しかし、前記アクチュエータのハンドルはフラッシュ式ではないが、施錠および解錠の両方の動作制限により平らになるように、ハンドルは最大１８０度回転する。アクチュエータハンドルの遠端は、ロックバーに接続された「ユニバーサル」リンクを駆動する。この設計では、現在の設計とは明らかに異なり、前記ハンドルは装置のケーシングまたは本体上で直接旋回される。その結果として、ロックハンドルが逆駆動するのを防ぐためにオーバーセンターセキュリティ用の制限アームや追加リンケージが必要ない。
【０００９】
概して、先行技術はフラッシュマウントを実現し、ロックが逆駆動することを防止する本発明の特徴について言及していない。
【発明の概要】
【発明が解決しようとする課題】
【００１０】
従来技術の問題と欠陥を念頭において、本発明の目的は現在の最新技術よりも大幅に低い外形でフラッシュマウントされた開き窓ロックを提供することである。
【００１１】
本発明の更なる目的として、ハンドルを施錠位置から解錠位置へ、およびその逆に完全に反転させることを可能とする開き窓ロックを提供することである。
【００１２】
本発明のさらに別の目的では、ロック機構の逆駆動を防止する開き窓ロックを提供することが望ましい。
【課題を解決するための手段】
【００１３】
当業者にとって明らかであるように、上記および他の目的はフォーク状部品を受容するための長手方向のスロットを含む実質的に水平な側壁部を有する細長いケーシングと、その一端がケーシングに枢動自在に取り付けられ、他端が第一の枢動点でハンドルに枢動自在に取り付けられる制限アームとを有する開き窓の解錠方法に関する本発明において達成される。フォーク状部品はロックバーとロックの外部で係合するように適合され、長手方向のスロット内にケーシングと摺動自在に連通する。ハンドルは第二の枢動点でその一端がフォーク状部品と枢動自在に取り付けられ、その中間点で制限アームに枢動自在に取り付けられ、そしてハンドルはフォーク状部品に対して垂直な平面に沿って回転自在となる。上記方法は、ハンドルを初動位置から回転させるために第二の枢動点に対して第一の枢動点をシフトすると同時に、ハンドルの回転軸に対して垂直な方向に長手方向のスロット内で、ケーシングの水平側壁部に沿ってフォーク状部品と第二の枢動点を水平移動させるために、ハンドルを第一の枢動点周りに回転させることを含む。
【００１４】
細長いケーシングがハンドルの第二の枢動点の反対側の端部に埋め込まれた永久磁石を含むバネ作用プッシュ機構を備えていてもよく、ハンドルがその内部に埋め込まれた第一の永久磁石とは反対の極性の永久磁石を有する第二の端部を含んでいてもよく、永久磁石間の磁力が、ハンドルが施錠位置にあるとき、ハンドルをケーシング内の平面位置に保持する。上記方法は、バネを開放するときに圧縮されたバネに蓄積されたエネルギーが回転のためにハンドルを開放する第一の永久磁石と第二の永久磁石間の磁力を打ち勝つように、プッシュ機構内のバネを圧縮するケーシングの方向にハンドルの第二の端部を振動させ、プッシュ機構内のバネを圧縮するステップを更に含んでもよい。
【００１５】
一つの実施形態として、上記方法は、ハンドルをフォーク状部品に回転自在に接合する第一のヒンジ点がハンドルを制限アームに接合する第二のヒンジ点と制限アームをケーシングに接合する第三のヒンジ点との間に配置され、第二のヒンジ点が第一のヒンジ点と第三のヒンジ点を接続する作用線よりも上になるように、ハンドルを完全に施錠されていない状態から回転させることでオーバーセンター状態にしてもよく、その後、第二のヒンジ点が第一のヒンジ点と第三のヒンジ点の間に配置され、第二のヒンジ点が第一のヒンジ点と第三のヒンジ点を接続する作用線よりも下になるように、ハンドルを完全に施錠された位置にまで回転することでオーバーセンター状態にしてもよい。
【００１６】
他の側面として、本発明は、ロックバーとロックの外部で係合するように適合され、前記長手方向のスロット内にケーシングと摺動自在に連通するフォーク状部品を受容するための長手方向のスロットを含む実質的に水平な側壁部を有する細長いケーシングを含む前記開き窓の用のフラッシュロックを作動させることを含む、窓のサッシを開き窓の枠に固定する方法に関する。上記フラッシュロックは、ケーシングに枢動自在に取り付けられた制限アームと、ハンドルとフォーク状部品を回転自在に接合する第一ヒンジ点と、ハンドルと制限アームを回転自在に接合する第二ヒンジ点と、制限アームをケーシングに回転自在に接合する第三ヒンジ点とを含み、ロックバーをバックドライブすることを防止するオーバーセンターリンケージを形成する複数のヒンジまたは枢動点を更に含む。ハンドルは、その一端が第二の枢動点でフォーク状部品と枢動自在に取り付けられ、その中間点で制限アームに枢動自在に取り付けられ、フォーク状部品に対して垂直な平面に沿って回転自在である。上記方法は、第一のヒンジ点が第二および第三のヒンジ点の間にあり、第二のヒンジ点が第一および第三のヒンジ点を接続する作用線よりも上になるように、ハンドルを解錠位置まで回転させこと、または、第二のヒンジ点が第一および第三のヒンジ点の間にあり、第二のヒンジ点が第一および第三のヒンジ点を接続する作用線より下になるように、ハンドルを施錠位置まで回転させこと、および、ハンドルの回転軸に対して垂直方向に長手方向のスロット内でケーシングの水平側壁部に沿ってフォーク状部品を水平に移動することを含む。
【００１７】
さらに別の側面として、本発明は、長手方向にスロットを含む実質的水平側壁部を有するケーシングと、その端部にケーシングが枢動自在に取り付けられ、他端に第一の枢動点でハンドルが枢動的に取り付けられた制限アームと、ロックバーを係合するための接続部と長手方向のスロットを摺動自在に係合するための突起とを含むフォーク状部品と、その端部に第二の枢動点で前記フォーク状部品に枢動的に連通し、ハンドルの中間点で制限アームと枢動的連通し、フォーク状部品に対する垂直な平面に沿って回転自在なハンドルを含む窓のサッシを開き窓枠に固定するための開き窓ロックに関する。ハンドルが解錠位置にまで回されると、第一の枢動点周りのハンドルの枢動がフォーク状部品および第二の枢動点をハンドルの回転軸に対して垂直な第一の方向に長手方向のスロット内で水平に横断させ、ハンドルが施錠位置に回されると、第一の枢動点周りのハンドルの反対方向への枢動が、フォーク状部品および第二の枢動点を第一の方向とは反対である第二の方向である長手方向のスロット内で水平に横断させる。
【００１８】
開き窓ロックはロックバーをバックドライブすることを防ぐオーバーセンターリンケージを形成する複数のヒンジまたは枢動点を含んでもよい。オーバーセンターリンケージは、ハンドルが解錠位置にまで回されると、第一のヒンジ点が第二のヒンジ点および第三のヒンジ点との間にあり、第二のヒンジ点が第一のヒンジ点と第三のヒンジ点を接続する作用線より上になるように、また、ハンドルが施錠位置に回されると、第二のヒンジ点が第一のヒンジ点と第三のヒンジ点の間にあり、第一のヒンジ点と第三のヒンジ点とを接続する作用線よりも下になるように、ハンドルとリフターを回転自在に接合する第一のヒンジ点と、ハンドルと制限アームを回転自在に接合する第二のヒンジ点と、制限アームをケーシングに接合する第三のヒンジ点を含んでもよい。
【００１９】
一つの実施形態として、開き窓ロックは、開き窓ロックとは反対側窓枠に配置され、上記窓枠を通してネジを錠に取り付けるための表面を提供する、開き窓ロックを上記窓枠に固定するためのリテーナーを更に含んでもよい。リターナは、フォーク状部品が第一の方向および第二の方向に横断すると、それを通じて延びるフォーク状部品の少なくとも一部を受容するため、その長さに沿って伸びるスロットを備えていてもよい。リテーナーは、フォーク状部品に結合されるフォーク状部品が移動の終点に到達したという触覚的および聴覚的表示を提供する戻り止めバネと係合するようにリテーナー内に形成され、フォーク状部品とリテーナーとの間に配置される少なくとも一つの戻り止めを更に備えていてもよい。
【００２０】
最小限のたわみで力を提供できるスプリングワッシャーは、制限アームとケーシングの間に取り付けられてもよい。
【００２１】
開き窓ロックは、ハンドルの第二の枢動点の反対側の端部でケーシングに埋め込まれた永久磁石を含むバネ作用プッシュ機構を更に備えていてもよく、ハンドルはバネ作用プッシュ機構中に埋め込まれた第一の磁石と反対の極性の永久磁石を有する第二の端部を含んでいてもよく、永久磁石間の磁力が、ハンドルが施錠位置にあるときに、ハンドルをケーシング内の平らな位置に維持する。ハンドルは、バネを開放したとき圧縮されたバネに蓄積されたエネルギーが第一の永久磁石と第二の永久磁石間の磁力に打ち勝つように、ケーシングの方向にハンドルの端部を振動させ、プッシュ機構内でバネを圧縮することにより、回転のために開放自在となる。
【００２２】
スナップオンエスカッションはケーシングおよびハンドルに取り付けられていてもよく、開き窓ロックは、ハンドルが解錠位置まで回転する際に、ハンドルが過度に回転してケーシングおよび／またはエスカッションに接触するのを防ぎ、それらの間のクリアランスを確保する回転可能なコネクタを更に含んでいてもよい。
【００２３】
新規であると考えられる本発明の特徴および本発明の特徴的要素は後述する特許請求の範囲に明確に記載されている。図は説明のみを目的としていて、縮尺通り描かれていない。しかし、本発明自体、その構成と操作方法に関して、添付図面と併せて詳細な説明を参照することで最もよく理解されうる。
【図面の簡単な説明】
【００２４】
【図１】図１は、ハンドルが施錠位置にある状態で、本発明における開き窓用フラッシュ式ロックハンドル機構の実施形態を斜視図で表したものである。
【図２】図２は、図１のフラッシュ式ロックハンドル機構の分解図である。明確にするために、エスカッションおよびバネ作用プッシュ機構は示されていない。
【図３】図３は、ハンドル、バネ作用プッシュ機構、制限アームおよびフォーク状部品の接続スキームを表す、図１のフラッシュ式ロック機構のサブアセンブリの右側斜視図である。明確にするために、エスカッションおよび主要なケーシングは取り除かれている。
【図４】図４は、図３のフラッシュ式ロック機構のサブアセンブリの左側斜視図である。
【図５】図５は、ハンドルの回転軸に対して垂直方向にケーシングの側壁にある長手方向のスロット内における移動自在なフォーク状部品を表す、図１のフラッシュ式ロックハンドル機構の右側面図である。
【図６】図６は、ハンドルが施錠位置にある状態で描かれた３つのヒンジ点を含むオーバーセンターリンケージの位置を表すためケーシングが取り除かれた、図５のフラッシュ式ロックハンドル機構の右側面図である。
【図７】図１のフラッシュ式ロックハンドル機構の底面図である。
【図８】図８は、ハンドルが完全に解錠された状態で、本発明におけるフラッシュ式ロックハンドル機構の実施形態の斜視図である。
【図９】図９は、ハンドルが完全に解錠された状態で、図８のフラッシュ式ロック機構のサブアセンブリの右側斜視図である。
【図１０】図１０は、図９のフラッシュ式ロック機構のサブアセンブリの左側斜視図である。
【図１１】図１１は、ハンドルが解錠位置に回されたとき、ケーシングの側壁にある長手方向のスロット内における移動自在なフォーク状部品を表す、図８のフラッシュ式ロックハンドル機構の右側面図である。
【図１２】図１２は、ハンドルが解錠した状態で描かれた３つのヒンジ点を含むオーバーセンターリンケージの位置を表すためケーシングが取り除かれた、図１１のフラッシュ式ロックハンドル機構の右側斜視図である。
【図１３】図８のフラッシュ式ロックハンドル機構の底面図である。
【図１４】図１４は、ハンドルが施錠位置にある状態で、窓枠内に取り付けられた本発明の開き窓用フラッシュ式ロックハンドル機構の斜視図である。窓の装飾部分はロックハンドル機構のフォーク状部品とロックバー間の相互接続を表すために取り除かれている。
【図１５】図１５は、ハンドルが解錠位置にある状態で、図１４の開き窓用フラッシュ式ロックハンドル機構の斜視図である。
【発明を実施するための最良の形態】
【００２５】
本発明における実施形態を説明する際、発明の同様な特徴について同様な番号が付されている図１〜図１５を参照する。
【００２６】
本明細書では、便宜上、特定の用語が使われており、本発明を限定するものとみなすべきではない。例えば、「上」、「下」、「左」、「右」、「水平」、「垂直」、「上方」、「下方」、「時計回り」または「反時計回り」は単に図に示されている構造を記しているに過ぎない。明確にするため、似た要素を区別するために同じ参照符号が複数の図面で使われてもよい。
【００２７】
加えて、本発明の説明において、「例示的」という言葉は例、事例または実例として機能することを意味するために使われている。本明細書で「例示的」として説明された態様または設計は、必ずしも他の態様または設計よりも好ましいまたは有利であると解釈されることを意図したものではない。むしろ、「例示的」という言葉の使用は、概念を具体的な方法で提示することを意図しているだけである。
【００２８】
本発明のロックは、薄型で、平面設計であり、現在の従来技術設計が２５ｍｍであることと比較して約８ｍｍであるため、従来技術よりも著しく窓枠から突出しない。開き窓を施錠すると、窓は一般にクランクによって閉じられる。サッシを動かすストライクは移動しない窓枠に取り付けられたタイバー上のピンに近づけられる。その後ロックハンドルが回される。これにより、ロック内のフォーク状部品を駆動させ、タイバーと係合して駆動し、タイバーピンを移動させ対応するフックまたはストライクと係合させる。フォーク状部品は、ロックケーシング内でスライドするよう適合される平面構造であることが好ましく、またタイバーと係合するために、足部のような、２つの延長部を有することが好ましい。ストライクは一般にその開口部に傾斜面を有し、ピンはこの傾斜に滑り込み係合される。この動きにより、サッシが窓枠にしっかりと引っ張られ、サッシを窓枠に密封するための圧力が生成される。
【００２９】
この「平面」で、薄型の外観を達成するために、本発明のロック機構は、施錠のためにケーシングの側壁に縦スロットを導入し、フォーク状部品は、ハンドルの回転軸に対して垂直な方向にスロット内で移動し、そしてハンドルは、フォーク状部品に対して垂直な平面に沿って回転自在である。ハンドルの枢動点がケーシングプロファイルを縮小させ、フォーク状部品と組み合わせて動作するように向け直すための制限アームがある。フォーク状部品が開き窓ロックの細長い側壁に沿って水平に移動すると、ハンドルと制限アームの枢動点がフォーク状部品に対して移動し、ハンドルが初期位置から約１５０度回転自在となる。先行技術の設計では、ハンドルはフォーク状部品またはタイバーを直接駆動する。これは、外観が高くなる構造上の制限である。現在の設計では、ハンドルをロック機構にさらに深く移動させて、ロックケーシングの高さを低くすることが可能である。
【００３０】
図１は、ハンドルが施錠位置にある本発明のフラッシュ式ロック機構１００の斜視図を示している。ロックは、開き窓の枠に取り付けられている（図１４‐１５）。本発明に特有なのは、施錠および解錠機能を確立するハンドル７によるフォーク状部品５の水平方向の動きに対応するために、メインケーシング１の側壁にある長手方向のスロット１４である。ハンドルがフォーク状部品５に垂直な平面に沿って回転すると、フォーク状部品５はスロット１４内でハンドル７の回転軸に垂直な方向に移動する。例示のみを目的として、ケーシングの細長い側壁は水平方向にあると見なされ、フォーク状部品５による動きは水平方向の動きと見なされる。これらの割り当てられた方向は、開き窓ロックに関する部品の移動についての説明を容易にするためにのみ提供され、窓枠に取り付けられた後の開き窓ロックの方向を表すものではない。（図１４‐１５に示されるように、開き窓ロックは通常、細長いケーシングが垂直に配置されるように取り付けられている。）ハンドルとロックの内部部品をそれぞれ覆うスナップ式のエスカッション４、４Aは、たとえば窓の木製フレームにフラッシュ式ロック機構を取り付けると、より見栄えの良い外観になる。エスカッションは、窓枠の木材に溶け込むか、または一致するように、その表面に色を付けるか、デザインパターンを備えていてもよい。
【００３１】
図３は、本発明のフラッシュ式ロック機構のサブアセンブリ１２０を示しており、明確にするために、エスカッション４およびケーシング１は取り外されている。図３に示されるように、ロック機構１００は、ハンドルの中間点でヒンジまたは枢軸１１を介して側面２Ａ、２Ｂを備える制限アームの周りで枢動自在なレバーアームまたはハンドル７を含む。
【００３２】
好ましくは、制限アーム２Ａ、２Ｂはハンドル７にリベット留めされる。しかし、ハンドル７が所望の枢動位置で制限アーム２Ａ、２Ｂに回転自在に取り付けられている場合、他の取り付け方式を採用してもよい。枢軸１１は、ハンドルのグリップ部分端１６よりもメインケーシング１およびエスカッションに近い距離で、ハンドル端点間のハンドル７の中間点に配置されることが好ましい。これにより、ハンドル７を上方に引いたり、ハンドル７を下方に押したりする際に、使用者が機械的に大きな力をかけることが可能となる。一実施形態として、図３に示されるように、バネ作用プッシュ機構７０は、ハンドルグリップ部分１６の近くのケーシング４に埋め込まれてもよい。プッシュ機構７０は、以下により詳細に説明するように、ハンドルがロック位置にあるときにハンドル７をケーシングに対して平面の位置に維持し、ハンドルを解放して解錠位置に回転させるように作用する。フラッシュロックハンドル機構１００は、その作動状態では、スナップオンエスカッション４およびメインケーシング１に入れられている。図３では、スナップオンエスカッション４は、明確にするために取り外されている。
【００３３】
図３は、フォーク状部品５のハンドル７の端部への接続だけでなく、ヒンジ、枢軸１０を中心に回転自在なハンドル７の各端部からの中間点で、枢軸１１を介した制限アーム２Ａ、２Ｂへのハンドル７の接続をさらに示している。図示のように、ハンドル７は、それぞれ枢軸１０および１１を介して制限アーム２Ａ、２Ｂおよびフォーク状部品５の周りを枢動するように設計されている。従来技術とは異なり、ハンドル７は、メインケーシング１またはエスカッション４に直接接続されておらず、メインケーシング１またはエスカッション４の周りを直接枢動しない。本明細書でさらに説明するように、このリンケージは、ロック機構の薄型設計と、フラッシュロック機構の逆駆動を禁止するオーバーセンター動作に寄与する。
【００３４】
フォーク状部品５は、施錠および解錠の作動中にタイバーと係合するためにフォーク状部品が使用されるので、いくつかの従来技術の設計と同様である。図１４−図１５が示すように、フォーク状部品５は、フレームに取り付けられているタイバーまたはロックバーを駆動する。タイバーは、可動サッシに取り付けられた一連のストライクに係合する。タイバーがストライクと係合すると、窓が施錠される。ハンドル７の一端は、リベットまたは他の回転可能な枢動アタッチメントであってもよいヒンジまたは枢軸１０を介してフォーク状部品５に枢動自在に接続する。制限アーム２A、２Bの反対側の端部は、ヒンジまたは枢軸１２を介してケーシング1に枢動自在に接続されている。ハンドル７が作動し、フォーク状部品が開き窓ロックの細長い側壁に沿って移動すると、ハンドルが初期位置から回転できるように、ハンドルと制限アームを接続する枢軸１１が枢軸１０に対して横方向だけでなく垂直方向に移動する。一実施形態では、図９に示すように、ハンドル７はその初期位置から約１５０度回転することが可能である。
【００３５】
図２は、フラッシュ式ロックハンドル機構１００の分解図である。フォーク状部品５は、ケーシングの側壁の長手方向のスロット１４に係合するために前記フォーク状部品本体から突出する延長部または突出部６を含む。さらに示されるように、フォーク状部品５は、スロット１４の上部から突出する延長部またはへりを受け入れるトラックセグメント８をその本体に含んでもよい。ハンドル７は、フォーク延長部６の２つの隆起部分の間に受け入れられ、各隆起部分は、ハンドル７をフォーク状部品５に枢動自在に接続する枢軸１０を受け入れるための開口部を備える（図３‐図４）。
【００３６】
図４は、図３に示されたフラッシュ式ロック機構のサブアセンブリの左側斜視図を示しており、スナップオンエスカッション４Ａがハンドル７の上部を覆っている。図３&#12316;４に示されるように、サブアセンブリは、施錠位置にあるときにケーシング１に対してハンドルを同一平面位置に維持するためのばね作用磁気プッシュ機構７０をさらに含んでもよい。プッシュ機構に埋め込まれているのは、バネ作用台座７１と、枢軸１０とは反対側のハンドル７の端部に埋め込まれる永久磁石７３と反対の極性を有する少なくとも１つの永久磁石７２である（図９）。磁石７２、７３間の距離、つまり磁力の強さは、回転のためにハンドルを解放するため、使用者は、ハンドルの端部１６をケーシング1の方向に下向きに振動させ、ばね台座７１を圧縮してもよく、圧縮されたばねが開放され、通常の付勢された状態に戻るときに圧縮されたばねに蓄えられたエネルギーは磁石７２、７３間の磁力に打ち勝つに十分なものとなり、その結果、ハンドル７は、バネ作用台座７１によって上方に付勢された後、自由に回転自在になる。
【００３７】
図５は、本発明のフラッシュ式ロックハンドル機構の側面図を示す。ハンドル７は施錠位置にあり、磁石７２、７３間の磁力によりケーシング１内で同一平面に維持される。フォーク状部品５は、ハンドルがフォークに垂直な平面に沿って回転し、解錠するときに、ケーシング１の側壁の長手方向のスロット１４内で移動する前の最も右側の位置で示されている。図２に示すように、フォーク状部品５は、フォーク状部品５の水平方向の動きに対して垂直にフォーク状部品本体から突出し、長手方向のスロット１４と摺動自在に係合するためのピンまたはわずかに細長い楕円形または長方形のセグメントであってもよい延長部または突出部６を含む。延長部または突出部６は、フォーク状部品５と一体であるか、またはフォーク状部品５に取り付けられてもよい。図２に示されるように、一実施形態では、フォーク状部品５は、スロット１４の上部から突出する延長部またはへりを受け入れるトラックセグメント８を本体に含んでもよい。どちらの取り付け方式でも、フォーク状部品５は、ハンドル７の作動によって誘導されると、細長い水平ケーシング構造に沿ってスロット１４内を水平方向にスライド可能である。
【００３８】
本発明のヒンジ点間の関係は、ハンドル７およびフォーク状部品５の移動の動きと相互作用する。
【００３９】
図６に示すように、ヒンジAまたは枢軸１０は、ハンドル７とフォーク状部品５の枢軸の接合部である。ヒンジＢまたは枢軸１１は、ハンドル７とハンドル７の中間点にある制限アーム２Ａ、２Ｂとの枢軸の接合部である。ヒンジCまたは枢軸１２は、図５に示すように、制限アーム２A、２Bとケーシングの枢軸の接合部である。
【００４０】
図６は、メインケーシング１が取り外された本発明のロック機構の断面図であり、ハンドル７が施錠位置にあるときの３つのヒンジ点Ａ、Ｂ、Ｃの位置決めを示している。ヒンジBは、ヒンジAとCの間の作用線５０の下に示されている。この関係により、ロック機構は移動の終点でオーバーリンクを利用でき、システムが逆駆動される（つまり、誰かがロック機構を逆にして窓に侵入しようとする）のを防止する。ヒンジBはヒンジAとCの間の作用線５０の下にあるため、システムは逆駆動することができない。このようにして、この構成は「３バーリンケージ」設計を生成します。また、ハンドル７が非常に広い動作角度にわたって移動し、フラッシュまたはロープロファイルの位置に戻ることができる。３つのバーリンクの最初の一つは、フォーク状部品５で接続された枢軸１０（ヒンジA）と制限アーム２A、２Bで接続された枢軸１１（ヒンジB）の間のハンドル７によって形成される。第２のバーまたはリンクは、制限器アーム２Ａ、２Ｂによって形成され、その各端部（ヒンジＢおよびＣ）で枢動する。３バーリンケージの３番目のバーまたはリンクは、フォーク状部品５（ヒンジA）と、ケーシングの本体の制限器の固定枢動点１２（ヒンジB）に対するフォーク状部品５の水平スライド動作によって作成される。３バーリンケージは、３つのリンクが相互に移動できるように、端（枢軸点）で枢動接続されたこれらの３つのリンクを使用する。
【００４１】
ハンドル７が移動先のいずれかの端にあるとき、３バーリンケージの設計は、ハンドル上の１つの枢軸またはヒンジを、他の２つの枢軸またはヒンジ点に対してオーバーセンター位置に移動する。このオーバーセンター位置は、ハンドル７を回転させるために「開く」力が加えられたときに、タイバーまたはロックバーが解錠位置に戻るのを防ぐ。図６に示すように、ハンドル７が下がっている（または施錠位置にある）場合、ハンドル７と制限アーム２A、２Bの間の枢動接続（ヒンジB）は、ハンドルとフォーク状部品の枢動点（ヒンジA）と制限アームとケーシング本体間の固定枢動点（ヒンジC）の間に定義された作用線５０より下になる。
【００４２】
その一方で、図１２に示すように、ハンドル７が完全に開いた状態で、ハンドルの第２の枢動接続（制限アームの枢動点、ヒンジB）が、フォーク状部品のハンドルの最初の枢動点（ヒンジA）と、制限アームとケーシング本体（ヒンジC）の間に固定される枢動点の間に定義される動作ライン５０を超えて移動する。いずれの場合も、枢動点が「中心を超えて」移動し、ロック機構が逆駆動されることを防止する。つまり、３つの枢動点のうちの１つが、他の２つの枢動点を接続する動作ライン上を移動する。
【００４３】
図８&#12316;１２は、完全に開いた位置にあるハンドル７を示している。好ましい実施形態では、フォーク状部品がメインケーシング１に沿ってスロット１４内で水平に移動するにつれて、枢軸１１またはヒンジＢは、水平から移動の長さにわたって横方向に加えて徐々に垂直にシフトし、ハンドルが施錠位置から解錠位置に回転すると、ハンドルの回転軸に対して垂直となる。このような上昇がなければ、フォーク状部品がその水平方向の推移を通して移動するときにバインド状態が発生する。したがって、好ましい実施形態では、ハンドルが施錠位置と解錠位置との間で回転するときに、フォーク状部品５がスロット１４内で水平に移動する間、作動ハンドル７は枢軸１１を同時に上昇（または下降）位置に移動させる役割を果たす。これにより、ハンドル７の「クリアランス」は、ケーシングに余分な深さを必要とせずに枢動点を中心に回転することができ、実際、ケーシングの深さを減らし、開き窓ロックを取り付けフレームとより同一平面にする。
【００４４】
更に図８‐図１２に示されるように、一実施形態として、本発明はハンドルが過回転し、エスカッションまたはケーシングと接触することを防止するための回転自在なコネクタ８０を含む。ハンドルが開位置にまで回転すると、コネクタ８０はハンドル７がエスカッションに回転することを防止し、それらの間のクリアランスを確保する止め具として機能する。
【００４５】
ロック機構を窓のフレームに取り付けるために、リテーナー６０が使用される。リテーナー６０は、押さえつけるためのネジを取り付けるための表面を提供する。
【００４６】
再び図２を参照すると、図３‐図４および図９‐図１０にも示されるように、本発明のリテーナー６０の実施形態が示されている。リテーナー６０は、開位置と閉位置間でハンドル７が回され、フォーク状部品がケーシングのスロット１４内で移動するとき、フォーク状部品の一部を受容するために、その長さに沿って延伸するスロットまたはトラック６２を有する細長いフラッシュコンポーネントである。リテーナー６０は、ハンドルが回転するとき、フォーク状部品５の移動の端を示す一対のくぼみ６３を更に含む。フラッシュロック機構を取り付けるために、ほぼ両端に２つのネジ穴６８が導入される。
【００４７】
本発明の一実施形態では、移動の両端（解錠および施錠）に戻り止めがある。戻り止めバネ９（図２を参照）は、フォーク状部品とリテーナー６０の間で、フォーク状部品５の下に配置されます。戻り止めバネ９は、ロック機構が移動の終点に到達したことを示す触覚的および聴覚的表示を提供する。さらに、戻り止めは、ハンドル７をその移動の終点で正しい位置に支持するのに寄与する。
【００４８】
図２‐図７および図９‐図１３は、フォーク状部品５がスロット１４内で移動するときに戻り止めばね９を受け入れて収容する好ましい形状の戻り止め６３を有するリテーナー６０を示す。
【００４９】
図７は、ハンドルが施錠位置にあるときの施錠された戻り止め位置（戻り止めばね９が右側のくぼみまたは戻り止め６３と係合する）のロック機構の底面図を示す。一方、図１３は、ハンドルが解錠位置にあるとき、解錠戻り止め位置（戻り止めばね９が左側のくぼみまたは戻り止め６３と係合する）のロック機構の底面図を示す。
【００５０】
操作中のハンドルの安定性をさらに高めるために、制限アーム２とメインケーシング１の間にスプリングワッシャー３を採用することが好ましい（図２-３）。このスプリングワッシャー、好ましくは皿バネ座金は、非常に小さなたわみで大量の力を提供することができる。したがって、本発明は、たった１０分の２ミリメートル（０．２mm）のたわみで７５ポンド以上の荷重を提供することができる。スプリングワッシャー３は、制限アーム２の予荷重を維持しながら、生産のばらつきにも対応する。
【００５１】
図３は、所定位置にあるスプリングワッシャー３を示すサブアセンブリの部分斜視図を示している。
【００５２】
本発明は、施錠のためのケーシングの側壁に長手方向スロットを導入することにより、従来技術の開き窓ロックの外形深さをはるかに超える薄型の開き窓ロックを実現し、フォーク状部品は、フォーク状部品に垂直な平面に沿ってハンドルが回転すると、ハンドルの回転軸に垂直な方向にスロット内で移動する。本発明は、ケーシングハウジングに最小限必要なクリアランスでハンドルが完全に回転することを可能にする複数の枢動点を備えたロック構造を確立する。ハンドルと制限アームの枢動動作により、フォーク状部品に対して制限アームの枢軸を上下させながら、フォーク状部品をケーシングの側壁の縦スロットと摺動自在に連通させた状態で、ハンドルはフォーク状部品を水平方向に移動させることができる。複数の枢動動作により、開位置、解錠位置、または閉位置、施錠位置のいずれかで開き窓ロックを固定し、のロック機構が逆方向に逆駆動することを防止する３バーリンケージが提供される。
【００５３】
典型的な実施態様とともに本発明を特に説明したが、先述の説明に照らして、多くの代替、修正および変形が当業者にとって明らかであろうことは明白である。したがって、添付の特許請求の範囲は、本発明の真の範囲および精神に含まれるものとして、そのような代替、修正、および変形を包含すると考えられる。
【図１】
2020523506.tif 000003
【図２】
2020523506.tif 000004
【図３】
2020523506.tif 000005
【図４】
2020523506.tif 000006
【図５】
2020523506.tif 000007
【図６】
2020523506.tif 000008
【図７】
2020523506.tif 000009
【図８】
2020523506.tif 000010
【図９】
2020523506.tif 000011
【図１０】
2020523506.tif 000012
【図１１】
2020523506.tif 000013
【図１２】
2020523506.tif 000014
【図１３】
2020523506.tif 000015
【図１４】
2020523506.tif 000016
【図１５】
2020523506.tif 000017
【国際調査報告】
2020523506.tif 000018
2020523506.tif 000019
2020523506.tif 000020